(57)【要約】【課題】側枠の変形を抑制することができる法枠構築用型枠を提供する。【解決手段】法枠構築用型枠１は、金網よりなる一対の側枠１０Ａ，１０Ｂを連結材２０により連結したものである。連結材２０は、複数の縦方向連結筋２１と、側枠１０Ａ，１０Ｂの上側１／３の領域内において、側枠１０Ａ，１０Ｂ及び縦方向連結筋２１を連結する上側スペーサ筋２２と、側枠１０Ａ，１０Ｂの下側１／３の領域内において、側枠１０Ａ，１０Ｂのうちの少なくとも一方と、縦方向連結筋２１のうちの少なくとも１つとを連結する下側スペーサ筋２３と、上側スペーサ筋２２と、下側スペーサ筋２３との間において、側枠１０Ａ，１０Ｂのうちの少なくとも一方と、縦方向連結筋２１のうちの少なくとも１つとを連結する中間スペーサ筋２４とを備えている。【選択図】図１
0003189606.tif 000002
【実用新案登録請求の範囲】
【請求項１】
間隔をあけて立設された金網よりなる一対の側枠を連結材により連結した法枠構築用型枠であって、前記連結材は、
高さ方向に伸長して設けられた複数の縦方向連結筋と、
前記一対の側枠の上側１／３の領域内において、前記一対の側枠及び前記複数の縦方向連結筋を連結する上側スペーサ筋と、
前記一対の側枠の下側１／３の領域内において、前記一対の側枠のうちの少なくとも一方と、前記複数の縦方向連結筋のうちの少なくとも１つとを連結する下側スペーサ筋と、
前記上側スペーサ筋と、前記下側スペーサ筋との間において、前記一対の側枠のうちの少なくとも一方と、前記複数の縦方向連結筋のうちの少なくとも１つとを連結する中間スペーサ筋と
を備えたことを特徴とする法枠構築用型枠。
【請求項２】
前記下側スペーサ筋は、前記一対の側枠及び前記複数の縦方向連結筋を連結するか、又は、前記一対の側枠のうちの一方と、一方の側枠に最も近い縦方向連結筋とを連結し、かつ、前記一対の側枠のうちの他方と、他方の側枠に最も近い縦方向連結筋とを連結しており、
前記中間スペーサ筋は、前記一対の側枠及び前記複数の縦方向連結筋を連結するか、又は、前記一対の側枠のうちの一方と、一方の側枠に最も近い縦方向連結筋とを連結し、かつ、前記一対の側枠のうちの他方と、他方の側枠に最も近い縦方向連結筋とを連結する
ことを特徴とする請求項１記載の法枠構築用型枠。
【請求項３】
前記側枠の高さは２９ｃｍ以上であることを特徴とする請求項１又は請求項２記載の法枠構築用型枠。
【考案の詳細な説明】
【技術分野】
【０００１】
本考案は、法面などの傾斜地の安定を図るための法枠構築用型枠に関する。
【背景技術】
【０００２】
切土法面又は自然斜面などを安定化させる工法の１つに、フリーフレーム工法がある。フリーフレーム工法では、例えば、金網よりなる側枠を間隔をあけて対向して配置し、その間を連結材により連結した法枠構築用型枠に、モルタル又はコンクリートを吹付けて法枠構築用型枠を埋め殺しとして、傾斜地に連続した枠を作る工法である。このフリーフレーム工法によれば、変型自由で軽量な金網を用いるので作業性良好であり、また、法枠構築用型枠は埋め殺しされるので解体作業が不要であり、更に、地山に直接モルタル又はコンクリートを吹付けするので、地山と法枠構築用型枠が一体となり、十分な強度を得ることができるという特徴を有している。
【０００３】
このフリーフレーム工法において側枠を連結する連結材としては、例えば、側枠を連結するように高さ方向に間隔をあけて設けられた上側スペーサ筋と下側スペーサ筋とを、横方向に間隔をあけて設けられた２本の縦方向連結筋により連結したものが用いられている（例えば、特許文献１参照）。
【先行技術文献】
【特許文献】
【０００４】
【特許文献１】特開平８−３１１８８０号公報
【考案の概要】
【考案が解決しようとする課題】
【０００５】
しかしながら、このような連結材を用いた場合、側枠の高さが高くなると、モルタル又はコンクリートを吹付けた際に、側枠が高さ方向の中間部分において外側に湾曲するように変形してしまうという問題があった。特に、このような変形は、側枠の高さが２９ｃｍ以上になると顕著となる。
【０００６】
本考案は、このような問題に基づきなされたものであり、側枠の変形を抑制することができる法枠構築用型枠を提供することを目的とする。
【課題を解決するための手段】
【０００７】
本考案の法枠構築用型枠は、間隔をあけて立設された金網よりなる一対の側枠を連結材により連結したものであって、連結材は、高さ方向に伸長して設けられた複数の縦方向連結筋と、一対の側枠の上側１／３の領域内において、一対の側枠及び複数の縦方向連結筋を連結する上側スペーサ筋と、一対の側枠の下側１／３の領域内において、一対の側枠のうちの少なくとも一方と、複数の縦方向連結筋のうちの少なくとも１つとを連結する下側スペーサ筋と、上側スペーサ筋と、下側スペーサ筋との間において、一対の側枠のうちの少なくとも一方と、複数の縦方向連結筋のうちの少なくとも１つとを連結する中間スペーサ筋とを備えたものである。
【考案の効果】
【０００８】
本考案の法枠構築用型枠によれば、上側スペーサ筋と、下側スペーサ筋との間において、一対の側枠のうちの少なくとも一方と、複数の縦方向連結筋のうちの少なくとも１つとを連結する中間スペーサ筋を備える様にしたので、モルタル又はコンクリートを吹付けた際に、側枠が外側に湾曲するように変形してしまうことを抑制することができる。
【図面の簡単な説明】
【０００９】
【図１】本考案の一実施の形態に係る法枠構築用型枠の構成を表す図である。
【図２】本考案の変形例を表す図である。
【考案を実施するための形態】
【００１０】
以下、本考案の実施の形態について、図面を参照して詳細に説明する。
【００１１】
図１は、本考案の一実施の形態に係る法枠構築用型枠１の構成を表すものである。図２は、変形例を表すものである。この法枠構築用型枠１は、例えば、法面等の傾斜地に連続した枠を作製し、傾斜地の安定化を図る際に用いられるものであり、フリーフレーム工法において好ましく用いられる。この法枠構築用型枠１は、例えば、間隔をあけて立設された金網よりなる一対の側枠１０Ａ，１０Ｂと、この一対の側枠１０Ａ，１０Ｂを連結する少なくとも１つの連結材２０とを備えている。
【００１２】
側枠１０Ａ，１０Ｂは、例えば、矩形状であり、クリンプ金網により構成されることが好ましい。側枠１０Ａ，１０Ｂの高さは、例えば、１５ｃｍから６０ｃｍ程度であるが、２９ｃｍ以上の場合に変形が生じやすく、より高い効果を得ることができるので好ましい。また、側枠１０Ａ，１０Ｂの高さが４０ｃｍ以上であれば、更に高い効果を得ることができるので好ましい。
【００１３】
連結材２０は、例えば、高さ方向に伸長して設けられた複数の縦方向連結筋２１を備えている。なお、本実施の形態では、縦方向連結筋２１は２本設けられており、例えば、一対の側枠１０Ａ，１０Ｂの対向方向において間隔をあけて、一対の側枠１０Ａ，１０Ｂから離間して設けられている。縦方向連結筋２１は、例えば、ステンレス、鉄、又は、アルミニウムなどの金属よりなる線材により構成されている。
【００１４】
連結材２０は、また、一対の側枠１０Ａ，１０Ｂの上側１／３の領域内において、一対の側枠１０Ａ，１０Ｂ及び複数の縦方向連結筋２１を連結する上側スペーサ筋２２と、一対の側枠の下側１／３の領域内において、一対の側枠１０Ａ，１０Ｂのうちの少なくとも一方と、複数の縦方向連結筋２１のうちの少なくとも１つとを連結する下側スペーサ筋２３とを備えている。
【００１５】
上側スペーサ筋２２は、例えば、一対の側枠１０Ａ，１０Ｂの対向方向に伸長され、一方の側枠１０Ａ、その間にある複数の縦方向連結筋２１、及び、他方の側枠１０Ｂと連結されている。上側スペーサ筋２２と側枠１０Ａ，１０Ｂとは、例えば、フックなどにより回動可能に連結されている。一対の側枠１０Ａ，１０Ｂを互いに近づける方向に畳むことができるようにして、容易に搬送できるようにするためである。上側スペーサ筋２２と縦方向連結筋２１とは、例えば、溶接などにより固定されている。
【００１６】
下側スペーサ筋２３は、例えば、一対の側枠１０Ａ，１０Ｂの対向方向に伸長して設けられている。下側スペーサ筋２３は、例えば、図１に示したように、一対の側枠１０Ａ，１０Ｂ及び複数の縦方向連結筋２１を連結するようにしてもよく、また、図２に示したように、一方の側枠１０Ａと、一方の側枠１０Ａに最も近い縦方向連結筋２１とを連結し、かつ、他方の側枠１０Ｂと、他方の側枠１０Ｂに最も近い縦方向連結筋２１とを連結するようにしてもよい。下側スペーサ筋２３と側枠１０Ａ，１０Ｂとは、例えば、フックなどにより回動可能に連結されている。一対の側枠１０Ａ，１０Ｂを近づける方向に畳むことができるようにするためである。下側スペーサ筋２３と縦方向連結筋２１とは、例えば、溶接などにより固定されている。
【００１７】
連結材２０は、更に、上側スペーサ筋２２と、下側スペーサ筋２３との間において、一対の側枠１０Ａ，１０Ｂのうちの少なくとも一方と、複数の縦方向連結筋２１のうちの少なくとも１つとを連結する中間スペーサ筋２４を備えている。モルタル又はコンクリートを吹付けた際に、側枠１０Ａ，１０Ｂが外側に湾曲するように変形してしまうことを抑制するためである。
【００１８】
中間スペーサ筋２４は、例えば、一対の側枠１０Ａ，１０Ｂの対向方向に伸長して設けられている。中間スペーサ筋２４は、例えば、図１に示したように、一対の側枠１０Ａ，１０Ｂ及び複数の縦方向連結筋２１を連結するようにしてもよく、また、図２に示したように、一方の側枠１０Ａと、一方の側枠１０Ａに最も近い縦方向連結筋２１とを連結し、かつ、他方の側枠１０Ｂと、他方の側枠１０Ｂに最も近い縦方向連結筋２１とを連結するようにしてもよい。中間スペーサ筋２４と側枠１０Ａ，１０Ｂとは、例えば、フックなどにより回動可能に連結されている。一対の側枠１０Ａ，１０Ｂを近づける方向に畳むことができるようにするためである。中間スペーサ筋２４と縦方向連結筋２１とは、例えば、溶接などにより固定されている。
【００１９】
上側スペーサ筋２２、下側スペーサ筋２３、及び、中間スペーサ筋２４は、例えば、ステンレス、鉄、又は、アルミニウムなどの金属よりなる線材によりそれぞれ構成されている。なお、連結材２０は、一対の側枠１０Ａ，１０Ｂに対して、長さ方向に離間して複数設けられていてもよい。
【００２０】
この法枠構築用型枠１は、例えば、次のようにして用いることができる。まず、法面等の傾斜地に枠を形成するように、複数の法枠構築用型枠１を連続して並べる。次いで、一対の側枠１０Ａ，１０Ｂの間に鉄筋を配設し、モルタル又はコンクリートを吹付けて、法枠構築用型枠１を埋め殺しにする。本実施の形態では、一対の側枠１０Ａ，１０Ｂの間に中間スペーサ筋２４を設けるようにしたので、モルタル又はコンクリートを吹付けても一対の側枠１０Ａ，１０Ｂが外側に湾曲することが抑制される。
【００２１】
このように本実施の形態によれば、上側スペーサ筋２２と、下側スペーサ筋２３との間において、一対の側枠１０Ａ，１０Ｂのうちの少なくとも一方と、複数の縦方向連結筋２１のうちの少なくとも１つとを連結する中間スペーサ筋２４を備える様にしたので、モルタル又はコンクリートを吹付けた際に、側枠１０Ａ，１０Ｂが外側に湾曲するように変形してしまうことを抑制することができる。特に、一対の側枠１０Ａ，１０Ｂの高さが２９ｃｍ以上の場合に高い効果を得ることができ、４０ｃｍ以上の場合により高い効果を得ることができる。
【００２２】
以上、実施の形態及び実施例を挙げて本考案を説明したが、本考案は上記実施の形態及び実施例に限定されるものではなく、種々変形可能である。例えば、上記実施の形態では、各構成要素について具体的に説明したが、全ての構成要素を備えていなくてもよく、また、他の構成要素を備えていてもよい。
【００２３】
また、上記実施の形態では、中間スペーサ筋２４及び下側スペーサ筋２３を、図１又は図２に示したように構成する場合について具体的に説明したが、中間スペーサ筋２３は、一対の側枠１０Ａ，１０Ｂ及び複数の縦方向連結筋２１を連結するように構成し、下側スペーサ筋２１は、一方の側枠１０Ａと、一方の側枠１０Ａに最も近い縦方向連結筋２１とを連結し、かつ、他方の側枠１０Ｂと、他方の側枠１０Ｂに最も近い縦方向連結筋２１とを連結するように構成するようにしてもよい。また、逆に、中間スペーサ筋２３は、一方の側枠１０Ａと、一方の側枠１０Ａに最も近い縦方向連結筋２１とを連結し、かつ、他方の側枠１０Ｂと、他方の側枠１０Ｂに最も近い縦方向連結筋２１とを連結するように構成し、下側スペーサ筋２１は、一対の側枠１０Ａ，１０Ｂ及び複数の縦方向連結筋２１を連結するように構成するようにしてもよい。
【００２４】
更に、上記実施の形態では、中間スペーサ筋２４を１つ又は１組設ける場合について示したが、上側スペーサ筋２２と下側スペーサ筋２３との間において、高さ方向に離間して複数設けるようにしてもよい。
【符号の説明】
【００２５】
１…法枠構築用型枠、１０Ａ，１０Ｂ…側枠、２０…連結材、２１…縦方向連結筋、２２…上側スペーサ筋、２３…下側スペーサ筋、２４…中間スペーサ筋
【図１】
0003189606.tif 000003
【図２】
0003189606.tif 000004